(57)【特許請求の範囲】
【請求項１】
複数の所有者の所有に係る多数の移転荷物を搬出元から搬出先の複数の階のフロアに搬出して、前記搬出先の配置場所である各フロアにおける複数に区分された配置エリアに複数の前記移転荷物を配置する移転引越し作業に用いられる移転引越し荷物確認システムであって、
前記搬出元から搬出される前記移転荷物に取り付けられ、当該移転荷物の荷物番号、所有者及び配置予定エリアを含む荷物情報を記録したＩＣタグと、
前記搬出先に搬送された前記移転荷物の配置エリアで作業者に所持され、前記移転荷物のＩＣタグの荷物情報を読み取ると共に、このＩＣタグの読み取り時に当該作業者がいる配置エリアを位置情報として入力する配置確認用携帯端末と、
前記配置確認用携帯端末に通信回線を介して接続される管理センタサーバと、を具備し、
前記配置確認用携帯端末は、当該配置確認用携帯端末から限られたエリア内に存在する前記ＩＣタグの荷物番号を読み取る手段と、当該配置確認用携帯端末の前記ＩＣタグの荷物番号の読み取り時に入力された位置情報である配置エリアと前記読み取ったＩＣタグの荷物番号とを関連づけて前記管理センタサーバに出力する手段と、を有し、
前記管理センタサーバは、
前記移転荷物の荷物番号、所有者及び配置予定エリアを含む荷物情報を格納した記憶手段と、
前記配置確認用携帯端末で読み取った前記ＩＣタグの荷物番号と前記記憶手段に格納された荷物番号とを比較して合致する場合に、配置有の情報を前記記憶手段の荷物情報に格納すると共に、当該配置確認用携帯端末の読み取り時に入力され当該管理センタサーバに出力された配置エリアを前記記憶手段の荷物番号に関連付けて前記記憶手段の荷物情報に格納する手段と、
前記荷物情報に配置有の情報を含む荷物番号における配置予定エリアと配置エリアとを比較して合致しない場合に、当該配置エリアが当該配置予定エリアに隣接するエリアである場合を除いて配置不備有と判定する手段と、
配置不備有と判定された場合に、配置不備有と判定された移転荷物の荷物番号、所有者、配置予定エリア及び配置エリアを含む荷物情報を配置不備情報として前記配置確認用携帯端末に出力する手段と、を有し、
前記配置確認用携帯端末は、前記管理センタサーバより配置不備情報を受信した場合に、当該配置不備情報を出力する手段を有する
ことを特徴とする移転引越し荷物確認システム。
【請求項２】
請求項１において、前記ＩＣタグは、前記管理センタサーバの記憶手段に格納された荷物情報を用いて荷物番号、所有者及び配置予定エリアを含む荷物情報がプリントアウトされたラベルを介して移転荷物に取り付けられることを特徴とする移転引越システム。
【請求項３】
複数の所有者の所有に係る多数の移転荷物を搬出元から搬出先の複数の階のフロアに搬出して、前記搬出先の配置場所である各フロアにおける複数に区分された配置エリアに複数の前記移転荷物を配置する移転引越し作業に用いられる移転引越し荷物確認システムであって、
前記搬出元から搬出される前記移転荷物に取り付けられ、当該移転荷物の荷物番号、所有者及び配置予定エリアを含む荷物情報を記録したＩＣタグと、
前記移転荷物の搬出元の出口に設置され、その出口を通過する前記移転荷物に取り付けられた前記ＩＣタグと送受信して当該ＩＣタグの荷物情報を受信する搬出元ゲート端末と、
前記移転荷物の搬出先の入口に設置され、その入口を通過する前記移転荷物に取り付けられた前記ＩＣタグと送受信して当該ＩＣタグの荷物情報を受信する搬出先ゲート端末と、
前記搬出先に搬送された前記移転荷物の配置エリアで作業者に所持され、前記移転荷物のＩＣタグの荷物情報を読み取ると共に、このＩＣタグの読み取り時に当該作業者がいる配置エリアを位置情報として入力する配置確認用携帯端末と、
前記搬出元ゲート端末、前記搬出先ゲート端末及び前記配置確認用携帯端末に通信回線を介して接続される管理センタサーバと、を具備し、
前記搬出元ゲート端末は、前記搬出元の出口を通過する移転荷物のＩＣタグの荷物情報を受信する手段と、この受信した荷物情報をデータ処理して前記管理センタサーバに出力する手段と、を有し、
前記搬出先ゲート端末は、前記搬出先の入口を通過する移転荷物のＩＣタグの荷物情報を受信する手段と、この受信した荷物情報をデータ処理して前記管理センタサーバに出力する手段と、を有し、
前記配置確認用携帯端末は、当該配置確認用携帯端末から限られたエリア内に存在する前記ＩＣタグの荷物番号を読み取る手段と、当該配置確認用携帯端末の前記ＩＣタグの荷物番号の読み取り時に入力された位置情報である配置エリアと前記読み取ったＩＣタグの荷物番号とを関連づけて前記管理センタサーバに出力する手段と、を有し、
前記管理センタサーバは、
前記移転荷物の荷物番号、所有者及び配置予定エリアを含む荷物情報を格納した記憶手段と、
前記搬出元ゲート端末から出力された荷物情報の荷物番号を前記記憶手段の荷物番号と比較して合致しない場合にアラーム情報を生成して前記搬出元ゲート端末に出力する手段と、
前記搬出先ゲート端末から出力された荷物情報の荷物番号を前記記憶手段の荷物番号と比較して合致しない場合にアラーム情報を生成して前記搬出先ゲート端末に出力する手段と、
前記配置確認用携帯端末で読み取った前記ＩＣタグの荷物番号と前記記憶手段に格納された荷物番号とを比較して合致する場合に、配置有の情報を前記記憶手段の荷物情報に格納すると共に、当該配置確認用携帯端末の読み取り時に入力され当該管理センタサーバに出力された配置エリアを前記記憶手段の荷物番号に関連付けて前記記憶手段の荷物情報に格納する手段と、
前記荷物情報に配置有の情報を含む荷物番号における配置予定エリアと配置エリアとを比較して合致しない場合に、当該配置エリアが当該配置予定エリアに隣接するエリアである場合を除いて配置不備有と判定する手段と、
配置不備有と判定された場合に、配置不備有と判定された移転荷物の荷物番号、所有者、配置予定エリア及び配置エリアを含む荷物情報を配置不備情報として前記配置確認用携帯端末に出力する手段と、を有し、
前記配置確認用携帯端末は、前記管理センタサーバより配置不備情報を受信した場合に、当該配置不備情報を出力する手段を有する
ことを特徴とする移転引越し荷物確認システム。
【発明の詳細な説明】
【技術分野】
【０００１】
本発明は、移転引越し荷物確認システムに係り、特に、複数の所有者の所有に係る多数の移転荷物を搬出元から搬出先に搬出して、その移転荷物を所有者ごとに所定エリアに配置する移転引越し作業に好適なものである。
【背景技術】
【０００２】
従来の引越支援システムとしては、特開２００４−３３４６６６号公報（特許文献１）に示されたものがある。
【０００３】
この引越支援システムは、家具メーカに設置された家具サーバと、住宅メーカまたは不動産業者に設置された間取りサーバと、引越業者に設置された引越支援サーバと、利用者（お客様）の利用者端末と、これらを接続するネットワークを有し、家具サーバには家具ＤＢ、間取りサーバには間取りＤＢ、引越支援サーバには顧客ＤＢ、配置ＤＢ、荷物ＤＢがそれぞれ接続されている。
【０００４】
前記引越支援サーバは、通信処理を行う通信処理部と、通信処理部を介して利用者の引越荷物データを受け取り、顧客データベースに該利用者の情報を保管し、引越荷物データを荷物データベースに保管するデータ管理部と、引越先の家の間取りを、間取りを保管している間取りサーバより通信処理部を介して取得し、引越荷物データに対応する家具データを、家具データを保存している家具サーバより通信処理部を介して取得し、家具の配置イメージを作成する配置作成部と、を有する。
【０００５】
そして、実際の引越作業においては、データ管理部が荷物ＤＢより荷物データを呼び出し、荷造り上新規発生の荷物情報を生成し、荷物の関連付けを行う。また、データ管理部は荷物データより荷物タグを生成し、荷造り担当が引越支援サーバより荷物に貼り付ける。次に、運送担当は、荷物データ、荷物タグに基づき、荷積み、荷降し、作成された配置イメージにより荷物を設置し、荷物、配置コンテンツ（写真やＣＡＤ映像等）による荷物、荷物配置の確認を行う。最後に、荷解き担当が、荷物データ、荷物タグに基づき、荷解き、収納を行うとともに、荷物コンテンツ（写真等）より荷物の確認を行う。
【０００６】
【特許文献１】特開２００４−３３４６６６号公報
【発明の開示】
【発明が解決しようとする課題】
【０００７】
特許文献１の引越支援システムでは、配置作成部で家具の配置イメージを作成することにより、引越しにおける利用者および引越し業者の負担を軽減し、引越し作業の効率化を図ることができるものの、家具を正確に配置したかを簡単に確認することについては配慮されていない。
【０００８】
複数の所有者の所有に係る多数の移転荷物を搬出元から搬出先に搬出して、その移転荷物を所有者ごとに所定エリアに配置する移転引越しにおいて、移転荷物が所定エリア内に配置されなかった場合に、その移転荷物を探すことが極めて困難である、という課題があった。
【０００９】
本発明の目的は、配置確認用携帯端末を操作するのみで移転荷物の配置不備を容易に確認することができる移転引越し荷物確認システムを提供することにある。
【課題を解決するための手段】
【００１０】
前述の目的を達成するための本発明の第１の態様は、複数の所有者の所有に係る多数の移転荷物を搬出元から搬出先の複数の階のフロアに搬出して、前記搬出先の配置場所である各フロアにおける複数に区分された配置エリアに複数の前記移転荷物を配置する移転引越し作業に用いられる移転引越し荷物確認システムであって、前記搬出元から搬出される前記移転荷物に取り付けられ、当該移転荷物の荷物番号、所有者及び配置予定エリアを含む荷物情報を記録したＩＣタグと、前記搬出先に搬送された前記移転荷物の配置エリアで作業者に所持され、前記移転荷物のＩＣタグの荷物情報を読み取ると共に、このＩＣタグの読み取り時に当該作業者がいる配置エリアを位置情報として入力する配置確認用携帯端末と、前記配置確認用携帯端末に通信回線を介して接続される管理センタサーバと、を具備し、前記配置確認用携帯端末は、当該配置確認用携帯端末から限られたエリア内に存在する前記ＩＣタグの荷物番号を読み取る手段と、当該配置確認用携帯端末の前記ＩＣタグの荷物番号の読み取り時に入力された位置情報である配置エリアと前記読み取ったＩＣタグの荷物番号とを関連づけて前記管理センタサーバに出力する手段と、を有し、前記管理センタサーバは、前記移転荷物の荷物番号、所有者及び配置予定エリアを含む荷物情報を格納した記憶手段と、前記配置確認用携帯端末で読み取った前記ＩＣタグの荷物番号と前記記憶手段に格納された荷物番号とを比較して合致する場合に、配置有の情報を前記記憶手段の荷物情報に格納すると共に、当該配置確認用携帯端末の読み取り時に入力され当該管理センタサーバに出力された配置エリアを前記記憶手段の荷物番号に関連付けて前記記憶手段の荷物情報に格納する手段と、前記荷物情報に配置有の情報を含む荷物番号における配置予定エリアと配置エリアとを比較して合致しない場合に、当該配置エリアが当該配置予定エリアに隣接するエリアである場合を除いて配置不備有と判定する手段と、配置不備有と判定された場合に、配置不備有と判定された移転荷物の荷物番号、所有者、配置予定エリア及び配置エリアを含む荷物情報を配置不備情報として前記配置確認用携帯端末に出力する手段と、を有し、前記配置確認用携帯端末は、前記管理センタサーバより配置不備情報を受信した場合に、当該配置不備情報を出力する手段を有することにある。
【００１１】
係る本発明の第１の態様におけるより好ましい具体的構成例は次の通りである。
（１）前記ＩＣタグは、前記管理センタサーバの記憶手段に格納された荷物情報を用いて荷物番号、所有者及び配置予定エリアを含む荷物情報がプリントアウトされたラベルを介して移転荷物に取り付けられること。
【００１２】
また、本発明の第２の態様は、複数の所有者の所有に係る多数の移転荷物を搬出元から搬出先の複数の階のフロアに搬出して、前記搬出先の配置場所である各フロアにおける複数に区分された配置エリアに複数の前記移転荷物を配置する移転引越し作業に用いられる移転引越し荷物確認システムであって、前記搬出元から搬出される前記移転荷物に取り付けられ、当該移転荷物の荷物番号、所有者及び配置予定エリアを含む荷物情報を記録したＩＣタグと、前記移転荷物の搬出元の出口に設置され、その出口を通過する前記移転荷物に取り付けられた前記ＩＣタグと送受信して当該ＩＣタグの荷物情報を受信する搬出元ゲート端末と、前記移転荷物の搬出先の入口に設置され、その入口を通過する前記移転荷物に取り付けられた前記ＩＣタグと送受信して当該ＩＣタグの荷物情報を受信する搬出先ゲート端末と、前記搬出先に搬送された前記移転荷物の配置エリアで作業者に所持され、前記移転荷物のＩＣタグの荷物情報を読み取ると共に、このＩＣタグの読み取り時に当該作業者がいる配置エリアを位置情報として入力する配置確認用携帯端末と、前記搬出元ゲート端末、前記搬出先ゲート端末及び前記配置確認用携帯端末に通信回線を介して接続される管理センタサーバと、を具備し、前記搬出元ゲート端末は前記搬出元の出口を通過する移転荷物のＩＣタグの荷物情報を受信する手段と、この受信した荷物情報をデータ処理して前記管理センタサーバに出力する手段とを有し、前記搬出先ゲート端末は前記搬出先の入口を通過する移転荷物のＩＣタグの荷物情報を受信する手段と、この受信した荷物情報をデータ処理して前記管理センタサーバに出力する手段とを有し、前記配置確認用携帯端末は、当該配置確認用携帯端末から限られたエリア内に存在する前記ＩＣタグの荷物番号を読み取る手段と、当該配置確認用携帯端末の前記ＩＣタグの荷物番号の読み取り時に入力された位置情報である配置エリアと前記読み取ったＩＣタグの荷物番号とを関連づけて前記管理センタサーバに出力する手段と、を有し、前記管理センタサーバは、前記移転荷物の荷物番号、所有者及び配置予定エリアを含む荷物情報を格納した記憶手段と、前記搬出元ゲート端末から出力された荷物情報の荷物番号を前記記憶手段の荷物番号と比較して合致しない場合にアラーム情報を生成して前記搬出元ゲート端末に出力する手段と、前記搬出先ゲート端末から出力された荷物情報の荷物番号を前記記憶手段の荷物番号と比較して合致しない場合にアラーム情報を生成して前記搬出先ゲート端末に出力する手段と、前記配置確認用携帯端末で読み取った前記ＩＣタグの荷物番号と前記記憶手段に格納された荷物番号とを比較して合致する場合に、配置有の情報を前記記憶手段の荷物情報に格納すると共に、当該配置確認用携帯端末の読み取り時に入力され当該管理センタサーバに出力された配置エリアを前記記憶手段の荷物番号に関連付けて前記記憶手段の荷物情報に格納する手段と、前記荷物情報に配置有の情報を含む荷物番号における配置予定エリアと配置エリアとを比較して合致しない場合に、当該配置エリアが当該配置予定エリアに隣接するエリアである場合を除いて配置不備有と判定する手段と、配置不備有と判定された場合に、配置不備有と判定された移転荷物の荷物番号、所有者、配置予定エリア及び配置エリアを含む荷物情報を配置不備情報として前記配置確認用携帯端末に出力する手段と、を有し、前記配置確認用携帯端末は、前記管理センタサーバより配置不備情報を受信した場合に、当該配置不備情報を出力する手段を有することにある。
【発明の効果】
【００１３】
係る本発明の移転引越し荷物確認システムによれば、配置確認用携帯端末を操作するのみで移転荷物の配置不備を容易に確認することができる。
【発明を実施するための最良の形態】
【００１４】
以下、本発明の一実施例に係る移転引越し荷物確認システムについて図１〜図７を用いて説明する。
【００１５】
この移転引越し荷物確認システム１００は、図１に示すように、複数の所有者の所有に係る多数の移転荷物２をビルの事務所などの搬出元２０からビルの事務所などの搬出先３０に搬出しその移転荷物２を所有者ごとに所定エリアに配置する移転引越し作業に用いられ、移転引越し業者が管理運営するものである。本実施形態では、搬出元２０から搬出される多数の移転荷物２には多数の所有者が存在し、各所有者が複数の移転荷物２を所有し、搬送先の配置場所であるフロアを複数の配置エリアに区分し、各配置エリアに複数の所有者の複数の移転荷物が配置されることを想定している。
【００１６】
この移転引越し荷物確認システム１００は、管理センタ１０が管理する管理センタサーバ１と、移転荷物２に取り付けられるＩＣタグ４と、搬出元２０の出口を通過する移転荷物２のＩＣタグ４の荷物情報を受信する搬出元ゲート端末５と、搬出先３０の入口を通過する移転荷物２のＩＣタグ４の荷物情報を受信する搬出先ゲート端末７と、搬出先３０に搬送した移転荷物２の配置場所で作業者に所持され、移転荷物２のＩＣタグ４の荷物番号を読み取る配置確認用携帯端末８とを具備して構成されている。
【００１７】
管理センタサーバ１は、搬出元ゲート端末５、搬出先ゲート端末７及び配置確認用携帯端末８と通信回線６を介して接続され、これらと送受信することができるようになっている。通信回線６は、有線及び無線の何れでもよく、複数の通信回線で構成されていてもよい。
【００１８】
この管理センタサーバ１は、移転荷物２の荷物番号、所有者及び配置予定エリアを含む荷物情報を格納した記憶手段１ａと、配置確認用携帯端末８で読み取ったＩＣタグ４の荷物番号と記憶手段１ａに格納された移転荷物の荷物番号とを比較して合致する場合に、当該配置確認用携帯端末８の読み取り時の位置情報に基づいて当該移転荷物２の配置エリアを当該移転荷物２の荷物番号に関連付けて記憶手段１ａの荷物情報に格納する手段と、記憶手段１ａの荷物番号、所有者及び配置エリアを含む荷物情報を出力する手段とを有する。
【００１９】
記憶手段１ａの荷物情報のデータ例を図２に示す。記憶手段１ａの荷物番号、所有者及び配置予定エリアは搬出前に格納される。なお、所有者と配置予定エリアとの対応テーブルを別に備えておけば、配置予定エリアの欄は不要である。そして、荷物番号を一貫番号とし、所有者が必要とする移転荷物の個数分だけ所有者を割り当てて置く。なお、各所有者の移転荷物の個数がわからない場合には、荷物番号を所定の単位に区分し、その単位ごとに所有者を割り当てて置くことが考えられ、移転引越し作業中に入力作業することに比較して、入力作業を容易にすることができる。
【００２０】
移転荷物２はパソコン、機密書類などを収納した箱などで構成される。この移転荷物２には、図３に示すラベル３が貼り付けられる。このラベル３は、管理センタサーバ１の記憶手段１ａに格納された荷物情報を用いて、荷物番号、所有者及び配置予定エリアがプリントアウトされたものが用いられる。これによって、ラベル３を容易に準備することができる。なお、ラベル３の荷物名は、ラベル３を移転荷物２に貼り付ける際に、所有者によって記入される。
【００２１】
ＩＣタグ４は、管理センタサーバ１の記憶手段１ａに格納された荷物情報を用いて、荷物番号、所有者及び配置予定エリアが書き込まれたものが用いられる。ＩＣタグ４は、ラベル３のプリントアウト順に対応して書き込まれ、ラベル３に装着される。これによって、ＩＣタグ４をラベル３に容易に正確に装着することができると共に、該当する移転荷物２に正確に取り付けることができる。
【００２２】
搬出元ゲート端末５は、移転荷物２の搬出元２０の出口に設置され、その出口を通過する移転荷物２のＩＣタグ４と送受信するアンテナ部５ａと、このアンテナ部５ａ及び管理センタサーバ１と送受信する制御装置５ｂと、警報ランプ５ｃとを具備している。
【００２３】
搬出先ゲート端末７は、移転荷物２の搬出先３０の入口に設置され、その入口を通過する移転荷物２のＩＣタグ４と送受信するアンテナ部７ａと、このアンテナ部７ａ及び管理センタサーバ１と送受信する制御装置７ｂと、警報ランプ７ｃとを具備している。
【００２４】
配置確認用携帯端末８は、この配置確認用携帯端末８から限られたエリア内のＩＣタグの荷物情報（荷物番号、所有者及び配置予定エリア）が読み取り可能であるＩＣタグリーダ／ライタや形態電話などで構成されている。この配置確認用携帯端末８の読み取り可能エリアは、本実施形態では、図４に示すように、配置場所７０の各フロア７０Ａ〜７０Ｃを三つに区分した配置エリアである北側エリア７０ａ、中央エリア７０ｂ、南側エリア７０ｃである。なお、配置確認用携帯端末８は、配置エリアの広さに応じて読み取り可能エリアの広さを調節できるようになっている。そして、配置確認用携帯端末８は、その読み取り時の位置情報である配置エリアを入力して読み取ったＩＣタグの荷物情報（荷物番号、所有者及び配置予定エリア）と共に出力可能である。
【００２５】
配置確認用携帯端末８は、図５に示すように、入力部８ａ、制御部８ｂ、表示部８ｃ、プリンタ部８ｄ、記憶部８ｅ、及び通信部８ｆを有して構成されている。入力部８ａは、テンキーなどからなる文字入力部を有し、その入力結果を制御部８ｂに入力するように制御部８ｂに接続されている。制御部８ｂは、マイコンなどにより構成され、その入力データ及び管理センタサーバ１から送信される荷物情報等に基づいて所定の処理を行い、処理結果を記憶部８ｅに格納する共に、表示部８ｃまたはプリンタ部８ｄに出力し、さらには通信部８ｆを介して外部に無線で出力または無線で入力する機能を有している。表示部８ｃは、液晶表示部などにより構成され、制御部８ｂに接続されると共に、入力内容や受信内容や処理内容などが表示される。プリンタ部８ｄは、熱転写プリンタなどにより構成され、制御部８ｂに接続されると共に、入力内容や受信内容や処理内容などをプリントアウトする。記憶部８ｅは、作業者などの固有の情報を格納し、制御部８ｂに接続されている。通信部８ｆは、通信回線６に対して送受信を可能にする機能を有し、制御部８ｂに接続されている。
【００２６】
次に、搬出元２０からの搬出と搬出先３０への搬入の際の移転引越し荷物確認システム１００における動作について図６を用いて説明する。
【００２７】
移転引越し作業が開始され、移転荷物２が搬出元ゲート端末５のアンテナ部５ａを通過すると、搬出元ゲート端末５は、移転荷物２に装着されたＩＣタグ４の荷物情報（荷物番号、所有者及び配置予定エリア）をアンテナ部５ａで受信し、制御装置５ｂでデータ処理して通信回線６を介して管理センタサーバ１に送信する（ステップＳ１）。なお、図６における管理センタサーバ１と他の機器５、７、８との送受信は通信回線６を介して行われるので、以下の説明ではその説明を省略する。
【００２８】
管理センタサーバ１は、この荷物情報を受信すると、この荷物情報の荷物番号が記憶手段１ａの荷物番号にあるかを比較する（ステップＳ２）。この比較で、「無」と判定された場合には、アラーム情報を生成して搬出元ゲート端末５に出力する（ステップＳ３）。搬出元ゲート端末５は、このアラーム情報を受信すると、直ちに警報ランプ５ｃを点灯して報知する。なお、警報ランプ５ｃによるアラーム報知の代わりに、音声または画面表示によるアラーム報知としてもよい。
【００２９】
ステップＳ２の比較で、「有」と判定された場合には、図２に示すように、記憶手段１ａの当該荷物番号の搬出有無のところに「有」の情報を格納する（ステップＳ５）。
【００３０】
次いで、管理センタサーバ１は、搬出作業が終了したかを判定する（ステップＳ６）。この判定は、搬出元ゲート端末５を通過した移転荷物２の数が搬出作業前に記憶手段１ａに格納された荷物の数に達したかで判定される。ここで終了していないと判定した場合には、ステップＳ１に戻り、ステップＳ１〜Ｓ６を繰り返す。
【００３１】
なお、実際の搬出作業が終了した際に、図６では省略してあるが、搬出元ゲート端末５から管理センタサーバ１に終了情報を送信し、これも終了の判定基準としている。この終了情報によって終了した場合には、記憶手段１ａの搬出有無の欄に空欄があるかを検索する。ここで空欄がある場合には、記憶手段１ａの該当荷物番号の搬出有無欄に「無」を格納すると共に、搬出元ゲート端末５に該当する荷物番号を送信し、搬出元ゲート端末５の表示画面にその荷物番号を表示する。これによって、移転荷物２の搬出漏れのチェックを行うことができる。
【００３２】
移転荷物２が搬出先ゲート端末７のアンテナ部７ａを通過すると、搬出先ゲート端末７は、移転荷物２に装着されたＩＣタグ４の荷物情報（荷物番号、所有者及び配置予定エリア）をアンテナ部７ａで受信し、制御装置７ｂでデータ処理して管理センタサーバ１に送信する（ステップＳ１１）。
【００３３】
管理センタサーバ１は、この荷物情報を受信すると、この荷物情報の荷物番号が記憶手段１ａの荷物番号にあるかを比較する（ステップＳ１２）。この比較で「無」と判定された場合には、アラーム情報を生成して搬出先ゲート端末７に出力する（ステップＳ１３）。搬出先ゲート端末７は、このアラーム情報を受信すると、直ちに警報ランプ７ｃを点灯して報知する。なお、警報ランプ７ｃによるアラーム報知の代わりに、音声または画面表示によるアラーム報知としてもよい。
【００３４】
ステップＳ１２の比較で、「有」と判定された場合には、図２に示すように、記憶手段１ａの当該荷物番号の搬入有無のところに「有」の情報を格納する（ステップＳ１５）。
【００３５】
次いで、管理センタサーバ１は、搬入作業が終了したかを判定する（ステップＳ１６）。この判定は、搬出先ゲート端末７を通過した移転荷物２の数が搬出した移転荷物の数に達したかで判定される。ここで、終了していないと判定した場合にはステップＳ１１に戻り、ステップＳ１１〜Ｓ１６を繰り返す。
【００３６】
なお、図６ではステップＳ６からステップＳ１１に続く場合について述べてあるが、搬出終了前に搬入が開始される場合には、ステップＳ１〜Ｓ６とステップＳ１１〜Ｓ１６とが並列に行われる。
【００３７】
搬出先ゲート端末７を通過した移転荷物２は、ラベル３の表示に基づいて配置場所である各階フロアの所定エリアに図１（具体的には図４参照）に示すように運ばれて配置される。
【００３８】
次に、配置場所での移転荷物２の確認の際の移転引越し荷物確認システム１００における動作について図７を用いて説明する。
【００３９】
移転荷物２を配置場所７０に全て配置した状態で移転荷物２の確認作業を行う。この確認作業は、まず、配置確認用携帯端末８の入力部８ａのキーを操作して配置確認用携帯端末８の現在の位置情報、例えば３階の北側エリア７０ａの略である３Ｆ−Ｎを入力し、記憶部８ｅに格納する（ステップＳ２１）。次いで、入力部８ａをキー操作して配置確認用携帯端末８が読み取り可能なエリアである３階の北側エリアに配置された移転荷物２に装着されたＩＣタグ４の荷物情報を読み取り、記憶部８ｅに配置確認用携帯端末８の位置情報に関連付けて格納する（ステップＳ２２）。次いで、入力部８ａをキー操作して記憶部８ｅに格納された位置情報及びＩＣタグ４の荷物情報を出力して管理センタサーバ１に送信する（ステップＳ２３）。
【００４０】
管理センタサーバ１は、この荷物情報を受信すると、この荷物情報の荷物番号の全てが記憶手段１ａの荷物番号にあるかを比較する（ステップＳ２４）。この比較で「無」と判定された荷物番号がある場合には、アラーム情報を生成して配置確認用携帯端末８に出力する（ステップＳ２５）。配置確認用携帯端末８は、このアラーム情報を受信すると、直ちに表示部８ｃの画面に表示して報知する。この点からも、誤搬送を確認することができる。
【００４１】
ステップＳ２４の比較で、「有」と判定された場合には、図２に示すように、記憶手段１ａの当該荷物番号の配置有無のところに「有」の情報を格納すると共に、配置エリアの欄に位置情報であるエリア名を格納する（ステップＳ２７）。
【００４２】
次いで、管理センタサーバ１は、配置確認作業が終了したかを判定する（ステップＳ２８）。この判定は、確認作業者が入力部８ａのキー操作を行って終了情報を入力したかで判定される。ここで終了していないと判定した場合には、ステップＳ２１に戻り、確認作業者が次のエリアに移動して、このエリアにおけるステップＳ２１〜Ｓ２８の処理を行い、エリアの数だけ繰り返す。
【００４３】
なお、複数のエリアで同じ荷物番号の荷物情報を読み込んだ場合には、図２の記憶手段１ａの複数の配置エリアの欄に当該配置エリアを格納する。
【００４４】
ステップＳ２８で終了と判定された場合には、配置不備の判定を行う（ステップＳ２９）。この配置不備の判定は、配置有の荷物番号ごとに、配置予定エリアと配置エリアの情報が合致するか否かで行われる。図２の例では、荷物番号０００３が合致せず、配置不備有と判定される。なお、荷物番号００１３では配置エリアに合致しない位置情報が含まれているが、隣接する配置エリアの境界部分を読み込んだものであり、配置不備としない。
【００４５】
ステップＳ２９で配置不備有と判定された場合には、配置不備情報（荷物番号、所有者、配置予定エリア、配置エリア、不備マーク）を配置確認用携帯端末８に出力する（ステップＳ３０）。配置確認用携帯端末８は、配置不備情報を受信すると、その配置不備情報を表示部８ｃに出力すると共に、その配置不備情報をプリントアウトし、終了する（ステップＳ３１）。
【００４６】
ステップＳ２９で配置不備無と判定された場合には、配置合格情報（合格マーク）を配置確認用携帯端末８に出力する（ステップＳ３２）。配置確認用携帯端末８は、配置合格情報を受信すると、その配置合格情報を表示部８ｃに出力すると共に、その配置不備情報をプリントアウトし、終了する（ステップＳ３３）。
【００４７】
本実施例によれば、配置確認用携帯端末を所定エリアごとに操作するのみで、移転荷物の配置不備を容易に確認することができる。
【図面の簡単な説明】
【００４８】
【図１】本発明の一実施形態に係る移転引越し荷物確認システムの構成図である。
【図２】図１の管理センタサーバの記憶手段のデータ構造図である。
【図３】図１の移転荷物に貼り付けるラベル例を示す図である。
【図４】図１の配置場所の具体例を示す図である。
【図５】図１の配置確認用携帯端末の構成図である。
【図６】図１の移転引越し荷物確認システムの動作例１を示すフローチャート図である。
【図７】図１の移転引越し荷物確認システムの動作例２を示すフローチャート図である。
【符号の説明】
【００４９】
１…管理センタサーバ、１ａ…記憶手段、２…移転荷物、３…ラベル、４…ＩＣタグ、５…搬出元ゲート端末、５ａ…アンテナ部、５ｂ…制御装置、５ｃ…警報ランプ、６…通信回線、７…搬出先ゲート端末、７ａ…アンテナ部、７ｂ…制御装置、７ｃ…警報ランプ、８…配置確認用携帯端末、８ａ…入力部、８ｂ…制御部、８ｃ…表示部、８ｄ…プリンタ部、８ｅ…記憶部、８ｆ…通信部、１０…管理センタ、２０…搬出元、３０…搬出先、７０…配置場所、７０Ａ〜７０Ｃ…配置フロア、７０ａ〜７０ｃ…配置エリア、１００…移転引越し荷物確認システム。
【図１】
0005139006.tif 000002
【図２】
0005139006.tif 000003
【図３】
0005139006.tif 000004
【図４】
0005139006.tif 000005
【図５】
0005139006.tif 000006
【図６】
0005139006.tif 000007
【図７】
0005139006.tif 000008